(57)【特許請求の範囲】
【請求項１】
網刃(1A)に多数の粗剃孔(29)を開口している粗剃アーチ外刃(1a)と、この粗剃アーチ外刃(1a)と平行に配設されると共に、網刃(1A)に多数の仕上剃孔(30)を開口している仕上剃アーチ外刃(1b)とを備え、粗剃アーチ外刃(1a)と仕上剃アーチ外刃(1b)が、所定のフロート圧で弾性的に押し出される状態で装着されてなる電気かみそりにおいて、
粗剃アーチ外刃(1a)と仕上剃アーチ外刃(1b)からなるアーチ外刃(1)と平行にスリット外刃(2)を配設し、
仕上剃アーチ外刃(1b)がスリット外刃(2)よりも突出する共に、粗剃アーチ外刃(1a)が仕上剃アーチ外刃(1b)よりも突出するように装着し、
粗剃アーチ外刃(1a)のフロート圧を、仕上剃アーチ外刃(1b)のフロート圧よりも弱くしてなることを特徴とする電気かみそり。
【請求項２】
網刃(1A)に多数の粗剃孔(29)を開口している粗剃アーチ外刃(1a)と、この粗剃アーチ外刃(1a)と平行に配設されると共に、網刃(1A)に多数の仕上剃孔(30)を開口している仕上剃アーチ外刃(1b)とを備え、粗剃アーチ外刃(1a)と仕上剃アーチ外刃(1b)が、所定のフロート圧で弾性的に押し出される状態で装着されてなる電気かみそりにおいて、
粗剃アーチ外刃(1a)と仕上剃アーチ外刃(1b)からなるアーチ外刃(1)と平行にスリット外刃(2)を配設し、
仕上剃アーチ外刃(1b)がスリット外刃(2)よりも突出する共に、粗剃アーチ外刃(1a)が仕上剃アーチ外刃(1b)よりも突出するように装着し、
粗剃アーチ外刃(1a)を仕上剃アーチ外刃(1b)よりフロートストロークを大きくしていることを特徴とする電気かみそり。
【発明の詳細な説明】
【０００１】
【発明の属する技術分野】
本発明は、くせ髭を速やかにカットする粗剃孔を設けた網刃と、髭を短く深剃りする仕上剃孔を設けた網刃とを備える電気かみそりに関する
【０００２】
【従来の技術】
電気かみそりは、くせ髭を残らず速やかにカットできることと、髭を能率よく短く深剃りして、髭剃りする肌に損傷を与えないことが大切である。このことを実現するために、粗剃孔と仕上剃孔を網刃に設けた電気かみそりが開発されている。この構造の電気かみそりは、下記の公報に記載される。
(1)  実開昭５５−１０１５７０号公報
(2)  特開平０３−１３１２９０号公報
(3)  特開昭５５−０９６１９１号公報
(4)  実開昭５５−１０１５６９号公報
(5)  実開昭５５−１０１５７１号公報
【０００３】
▲１▼と▲２▼の公報に記載される電気かみそりは、図１に示すように、アーチ外刃の網刃１Ａに、部分的に粗剃孔２９と仕上剃孔３０とを設けている。▲３▼〜▲５▼の公報に記載される電気かみそりは、２連のアーチ内刃を平行に配設し、一方のアーチ内刃の網刃には粗剃孔を設け、他方のアーチ内刃の網刃には仕上剃孔を設けている。
【０００４】
【発明が解決しようとする課題】
くせ髭は、図２に示すように変形したもの、あるいは、図３に示すように、全体的にアーチ状に湾曲して先端を肌Ｈに接触させたものがある。くせ髭Ｋは、このようにカールした形状となっており、網刃に設けた小さい仕上剃孔にスムーズに誘い込ませるのが難しい。仕上剃孔は、小さく開口される。このため、髭の先端を誘い込んで短くカットするのに適しているが、カールしているくせ髭を、速やかに誘い込ませるのが難しい。カールしたくせ髭をスムーズにカットするために、図１に示す従来の電気かみそりの網刃１Ａは、粗剃孔２９を設けている。粗剃孔２９は、くせ髭を速やかに誘い込んでカットするように、長く大きく設計される。粗剃孔２９は、くせ髭をスムーズに誘い込みできるが、髭を短くカットするようには設計されない。粗剃孔２９の網刃１Ａでカットされたくせ髭は、図２と図３の鎖線で示す位置でカットされて短くなる。この状態にカットされたくせ髭Ｋは、先端を肌Ｈからほぼ垂直な方向に突出させる状態となって、仕上剃孔２９に誘い込みできる形状となる。この形状にカットされたくせ髭Ｋは、仕上剃孔３０に誘い込まれて短く深剃りされる。
【０００５】
前述の公報に記載される電気かみそりは、以上のように、くせ髭を粗剃孔に誘い込んでカットして後、仕上剃孔に誘い込んで短くカットするために、網刃に粗剃孔と仕上剃孔とを設けている。
【０００６】
しかしながら、前述の公報に記載される電気かみそりは、くせ髭を粗剃孔で速やかにカットし、粗剃孔でカットされた髭を仕上剃孔で短く深剃りして、能率よく髭剃りするのが難しい。くせ髭を深剃りするために、何回も繰り返し網刃を肌に接触させて往復運動させる必要がある。それは、粗剃孔と仕上剃孔の両方で、くせ髭を深剃りするのが難しいからである。とくに、粗剃孔の網刃でカットされたくせ髭を、肌の損傷を少なくして、短く深剃りするのが難しい欠点がある。
【０００７】
とくに、１枚の網刃に、粗剃孔と仕上剃孔を設けた電気かみそりは、深剃りして、肌に損傷を与えないように髭剃りするのが難しい。網刃を、仕上剃りに適した厚さに薄くすると、大きな粗剃孔に肌が押し込まれて傷を付けやすくなり、肌に傷を付けないように網刃を厚くすると、深剃りできなくなるからである。
【０００８】
▲４▼の公報に記載される電気かみそりは、粗剃孔と仕上剃孔を、２列の網刃に別々に開口しているので、粗剃孔の網刃を厚くして、仕上剃孔の網刃を薄くできる。このため、仕上剃孔の網刃で髭を深剃りし、粗剃孔の網刃で肌の損傷を少なくできる。ただ、この構造の電気かみそりを使用しても、くせ髭を理想的な状態で能率よくカットして、しかも、深剃りすることはできない。
【０００９】
さらに、肌の凹凸や柔軟性に適応して能率よく髭剃りするために、複数列の外刃を、突出高さが異なるように装着した電気かみそりも開発されている。これ等の電気かみそりは、下記の公報に記載される。
▲６▼  特開平４−２５０１８７号公報
▲７▼  特開平８−１７３６４７号公報
【００１０】
▲６▼の公報には、２列の外刃を、上下に高低差を設けて固定する電気かみそりが記載される。この電気かみそりは、鼻の下のように狭いところを髭剃りするときに、突出させる外刃で髭剃りして便利に使用できる。さらに、▲８▼の公報には、両側に配設される外刃を、中央の外刃よりも突出させている電気かみそりが記載される。この電気かみそりは、両側の外刃を肌に接触させると、中央の外刃が肌から離れる。肌から離れた中央の外刃で、カールしたくせ髭をカットしようとするものである。くせ髭はカールしているので、肌に沿って外刃を移動させると、外刃でくせ髭が押し潰されて肌に密着し、髭剃孔に誘い込できなくなるので、くせ髭をカットする外刃を、肌から離して移動させている。
【００１１】
この構造の電気かみそりは、肌に密着する外刃に比べると、くせ髭を能率よくカットできる。ただ、図２や図３に示すように、種々の形状にカールするくせ髭を、必ずしも速やかにカットできない。
【００１２】
本発明は、従来の電気かみそりが有するこのような欠点を解消することを目的に開発されたもので、本発明の重要な目的は、くせ髭を速やかにカットして、しかも、肌の損傷を少なくして、能率よく深剃りして綺麗に髭剃りできる電気かみそりを提供することにある。
【００１３】
【課題を解決するための手段】
本発明の電気かみそりは、網刃１Ａに多数の粗剃孔２９を開口している粗剃アーチ外刃１ａと、この粗剃アーチ外刃１ａと平行に配設されると共に、網刃１Ａに多数の仕上剃孔３０を開口している仕上剃アーチ外刃１ｂとを備える。粗剃アーチ外刃１ａと仕上剃アーチ外刃１ｂは、所定のフロート圧で弾性的に押し出される状態で装着されている。
【００１４】
さらに、本発明の電気かみそりは、粗剃アーチ外刃１ａと仕上剃アーチ外刃１ｂからなるアーチ外刃１と平行にスリット外刃２を配設し、仕上剃アーチ外刃１ｂがスリット外刃２よりも突出する共に、粗剃アーチ外刃１ａが仕上剃アーチ外刃１ｂよりも突出するように装着し、粗剃アーチ外刃１ａのフロート圧を、仕上剃アーチ外刃１ｂのフロート圧よりも弱くしている。
【００１５】
本発明の請求項２の電気かみそりは、粗剃アーチ外刃１ａと仕上剃アーチ外刃１ｂからなるアーチ外刃１と平行にスリット外刃２を配設し、仕上剃アーチ外刃１ｂがスリット外刃２よりも突出する共に、粗剃アーチ外刃１ａが仕上剃アーチ外刃１ｂよりも突出するように装着し、粗剃アーチ外刃１ａを仕上剃アーチ外刃１ｂよりフロートストロークを大きくしている。
【００１８】
【発明の実施の形態】
以下、本発明の実施例を図面に基づいて説明する。ただし、以下に示す実施例は、本発明の技術思想を具体化するための電気かみそりを例示するものであって、本発明は電気かみそりを下記のものに特定しない。
【００１９】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００２０】
図４と図５の分解斜視図に示す電気かみそりは、かみそり本体に出入り自在に装着されている２連のアーチ外刃１と、このアーチ外刃１の両側に配設されているスリット外刃２と、スリット外刃２の外側とアーチ外刃１の間に配設されている３列の櫛４と、アーチ外刃１とスリット外刃２とを平行に配設して脱着自在に装着している外刃ケース６と、外刃ケース６を脱着自在に装着している外刃枠７と、アーチ外刃１の内面に押圧されて摺動されるアーチ内刃３と、スリット外刃２の内面に押圧されて摺動されるスリット内刃５と、アーチ内刃３とスリット内刃５とが連結されている内刃台１１と、内刃台１１を往復運動させる駆動機構（図示せず）とを備える。
【００２１】
２連のアーチ外刃１と、２連のスリット外刃２は、図６の分解斜視図に示すように、中間台６ａを介して、それぞれ独立して上下に移動できるように、すなわち、出入りできるように、外刃ケース６に装着される。スリット外刃２は、２連のアーチ外刃１の外側に隣接して平行に配設される。
【００２２】
２連のアーチ外刃１は、プラスチック製の外刃ホルダー１Ｂに、網刃１Ａをアーチ状に湾曲して固定している。アーチ外刃１は、一方を粗剃アーチ外刃１ａとし、他方を仕上剃アーチ外刃１ｂとしている。粗剃アーチ外刃１ａの網刃１Ａは、無数の粗剃孔２９を開口している。仕上剃アーチ外刃１ｂの網刃１Ａは、無数の仕上剃孔３０を開口している。
【００２３】
粗剃孔２９は、くせ髭をスムーズに誘い込みできるように、仕上孔３０よりも開口面積を大きくしている。さらに、粗剃孔２９は、仕上剃孔３０よりも縦長にして、最長部分の全長を、仕上剃孔３０よりも長くしている。粗剃孔２９は、たとえば、細長い形状として、くせ髭を無理なく誘い込みできるようにしている。仕上剃孔３０は、粗剃孔２９の網刃１Ａでカットされた髭を短くカットするために、たとえば、小さい円形や多角形状に開口されている。
【００２４】
粗剃アーチ外刃１ａの網刃１Ａは、仕上剃アーチ外刃１ｂの網刃１Ａよりも厚い金属板である。粗剃アーチ外刃１ａの網刃１Ａは、髭を短くカットする必要がないが、粗剃孔２９を大きく開口しているので、十分な強度を有するように、厚い金属板で製作される。仕上剃アーチ外刃１ｂの網刃１Ａは、髭を短くカットできるように、薄い金属板で製作される。
【００２５】
さらに、粗剃アーチ外刃１ａの粗剃孔２９は、仕上剃アーチ外刃１ｂの仕上剃孔３０よりも大きく長く開口されているので、肌に傷を付けやすい傾向がある。この弊害を防止するためにも、粗剃アーチ外刃１ａは、仕上剃アーチ外刃１ｂよりも網刃１Ａを厚くしている。網刃１Ａを厚くすると、髭剃りするときに、粗剃孔２９に押し込まれる肌が網刃１Ａの内側に侵入し難くなる。肌が網刃１Ａの内面から突出しないと、内刃で損傷を受けることはない。網刃１Ａが、粗剃孔２９から内面に髭を突出させて、内面を摺動する内刃でカットするからである。このため、厚い網刃１Ａの粗剃アーチ外刃１ａは、髭剃り後における肌の損傷を防止して、ヒリヒリするのを阻止できる。
【００２６】
粗剃アーチ外刃１ａの網刃１Ａは、厚さを、たとえば、５０〜１５０μｍ、最適には約７０μｍとし、仕上剃アーチ外刃１ｂの網刃１Ａは、たとえば、３０〜１００μｍ、最適には約５０μｍとする薄い金属板である。網刃１Ａを固定する外刃ホルダー１Ｂは、硬質のプラスチックを、上下に開口した長方形の角筒状に成形したものである。
【００２７】
スリット外刃２は、図６に示すように、プラスチック製の外刃ホルダー２Ｂに、スリット外刃板２Ａを固定したものである。スリット外刃板２Ａは、図７と図８に示すように、金属板に、横方向に延長して複数の平行スリット２ａを開口したものである。スリット外刃板２Ａは、上面を平面状とする矩形状に金属板を折曲して、上面と外側のコーナー部から外側の垂直部まで延長して平行スリット２ａを開口している。図７と図８に示すスリット外刃２は、平行スリット２ａの幅を、外側に向かって広くするテーパー状としている。この形状のスリット外刃板２Ａは、櫛のようにくせ髭Ｋを揃えて、平行スリット２ａによりスムーズに誘い込みできる特長がある。
【００２８】
スリット外刃２の分解斜視図を図９に、外刃ホルダー２Ｂの底面図を図１０に示す。これ等の図のスリット外刃２は、スリット外刃板２Ａを外刃ホルダー２Ｂに連結している。スリット外刃板２Ａは、金属板をコ字状に折曲して、相対向する両側の下部に、外刃ホルダー２Ｂへの連結部２ｂを設けている。連結部２ｂは、外刃ホルダー２Ｂの外側に設けられた外側連結面２ｅに連結される外側連結部２ｃと、外刃ホルダー２Ｂの内側に設けられた内側連結面２ｆに連結される内側連結部２ｄとを下方に突出して設けている。外側連結部２ｃはスリット外刃板２Ａの両端に、内側連結部２ｄはスリット外刃板２Ａの中央部に設けられている。
【００２９】
外刃ホルダー２Ｂは、プラスチックで角筒状に成形されている。外刃ホルダー２Ｂは、両端部の両面に外側連結面２ｅを、中央の内面に内側連結面２ｆを成形している。図に示すスリット外刃板２Ａは、外側連結部２ｃと内側連結部２ｄとを同一平面に設けているので、外側連結面２ｅは、スリット外刃板２Ａの外側連結部２ｃを嵌着できるように一段低い段差形状に成形され、内側連結面２ｆは、内側連結部２ｄを嵌着して、内側連結部２ｄと外刃ホルダー２Ｂの内面を同一平面とするように、内側に段差ができる形状に成形される。
【００３０】
外刃ホルダー２Ｂに連結されたスリット外刃板２Ａが抜けないように、外側連結部２ｃと内側連結部２ｄに貫通孔２ｇを設け、この貫通孔２ｇに挿入される引掛凸部２ｈを、外刃ホルダー２Ｂの外側連結面２ｅと内側連結面２ｆから突出して成形している。内側連結部２ｄの貫通孔２ｇに挿入される内側連結面２ｆの引掛凸部２ｈは、内側連結部２ｄの表面から突出しない高さに成形される。内側連結部２ｄから突出すると、往復運動する内刃ホルダーが引っかかってスムーズに運動できなくなるからである。
【００３１】
スリット外刃板２Ａの外側連結部２ｃと内側連結部２ｄが、外刃ホルダー２Ｂの外側連結面２ｅと内側連結面２ｆに連結されると、貫通孔２ｇに引掛凸部２ｈが挿入されて、スリット外刃板２Ａは外刃ホルダー２Ｂの定位置に連結される。
【００３２】
図７と図８に示すスリット外刃板２Ａは上面を平面状としている。本発明の電気かみそりは、スリット外刃板の上面を必ずしも完全な平面状とする必要はない。たとえば、アーチ状に湾曲されるアーチ外刃１の曲率半径よりも大きい曲率半径に湾曲させて、ほぼ平面形状とすることもできる。
【００３３】
スリット外刃板２Ａの厚さは、アーチ外刃１の網刃１Ａよりも厚く、例えば、０．１〜０．５ｍｍ、最適には、０．２〜０．３ｍｍとして、網刃１Ａの２〜１０倍、最適には約５倍とする。スリット外刃板２Ａを厚くするのは、平行スリット２ａの幅を広くして、肌Ｈの損傷を少なくするためである。くせ髭Ｋをスムーズに平行スリット２ａに案内するためには、平行スリット２ａの幅を広くする必要がある。ところが、平行スリット２ａを幅広にすると、ここに肌Ｈが圧入されやすくなって、内面を摺動するスリット内刃５で肌Ｈを損傷させやすくなる。この弊害を防止するために、スリット外刃板２Ａを厚くしている。厚いスリット外刃板２Ａは、肌Ｈを平行スリット２ａに深く圧入しないかぎり、スリット内刃５で肌Ｈを損傷させなくなる。
【００３４】
平行スリット２ａの幅を広くして、アーチ外刃１の網刃１Ａよりも厚くしているスリット外刃板２Ａは、くせ髭Ｋを確実にカットして、しかも肌Ｈの損傷を少なくできる。スリット外刃２のスリット外刃板２Ａは、くせ髭Ｋを粗剃りする。粗剃りされたくせ髭Ｋは、スリット外刃２に続いて肌Ｈに沿って移動されるアーチ外刃１で仕上げ剃りされる。短くカットされたくせ髭Ｋは、アーチ外刃１でさらに短くカットされる。
【００３５】
粗剃アーチ外刃１ａと仕上剃アーチ外刃１ｂとスリット外刃２は、図６に示すように、それぞれ独立して弾性的に出入りできるように、外刃ケース６に装着される。粗剃アーチ外刃１ａと仕上剃アーチ外刃１ｂとスリット外刃２は、出入バネ１６で肌に向かって弾性的に押し出される。出入バネ１６は、コイルスプリングの押しバネで、大きなストロークで、アーチ外刃１とスリット外刃２を肌に押圧する。
【００３６】
出入バネ１６は、仕上剃アーチ外刃１ｂのフロート圧を、粗剃アーチ外刃１ａのフロート圧よりも大きくして、いいかえると、粗剃アーチ外刃１ａよりも仕上剃アーチ外刃１ｂを強く弾性的に押し出している。粗剃アーチ外刃１ａは、フロート圧を小さくしているので、図１１と図１２に示すように、仕上剃アーチ外刃１ｂよりも高く突出しているが、肌に押圧されると、仕上剃アーチ外刃１ｂよりも軽く押し込まれる。この構造の電気かみそりは、高く突出する粗剃アーチ外刃１ａを肌で押し込んで、粗剃アーチ外刃１ａと仕上剃アーチ外刃１ｂの両方を肌に接触させて、広い面積で能率よく髭剃りできる。また、粗剃アーチ外刃１ａと仕上剃アーチ外刃１ｂの両方を肌に接触させる状態で、仕上剃アーチ外刃１ｂを強く肌に押圧して、髭を短く深剃りできる特長もある。
【００３７】
粗剃アーチ外刃１ａと仕上剃アーチ外刃１ｂとスリット外刃２は、肌に接触しない状態、いいかえると、出入バネ１６を圧縮する方向に押されない状態では、図１２に示すように、左側のスリット外刃２と仕上剃アーチ外刃１ｂと粗剃アーチ外刃１ａからなる３列の外刃の先端面を、破線Ａで示すように、一直線上に並べている。この図の外刃は、仕上剃アーチ外刃１ｂを左側のスリット外刃２よりも突出させ、さらに、粗剃アーチ外刃１ａを仕上剃アーチ外刃１ｂと隣接するスリット外刃２よりも突出させている。
【００３８】
この図の外刃は、粗剃アーチ外刃１ａを最も突出させて、粗剃アーチ外刃１ａでくせ髭を速やかにカットする。さらに、この図の外刃は、粗剃アーチ外刃１ａと仕上剃アーチ外刃１ｂとの高低差（Ｈ１）を、仕上剃アーチ外刃１ｂとスリット外刃の高低差（Ｈ２）よりも高くしている。この構造の外刃は、電気かみそりを多少傾斜する状態で肌に押し付けて、１直線に並べた３列の外刃を一緒に肌に接触させて、能率よく髭剃りできる。
【００３９】
さらに、肌に接触させる電気かみそりの姿勢を、傾斜する状態から肌に直交する方向に向けるにしたがって、最も突出している粗剃アーチ外刃１ａを、仕上剃アーチ外刃１ｂとスリット外刃２よりも確実に肌に接触できる。とくに、粗剃アーチ外刃１ａと仕上剃アーチ外刃１ｂの高低差を、スリット外刃２と仕上剃アーチ外刃１ｂの高低差よりも大きくしているので、電気かみそりを、傾斜する姿勢から垂直姿勢に傾動させるにしたがって、粗剃アーチ外刃１ａを他の内刃に比較してより優先的に肌に接触できる。さらに、電気かみそりが肌に直交する姿勢になるにしたがって、粗剃アーチ外刃１ａを肌に接触させる割合を、仕上剃アーチ外刃１ｂおよびスリット外刃を肌に接触させる割合よりも急激に改善して、くせ髭を確実にカットできる。このため、電気かみそりを肌に直交する姿勢で当てるほど、くせ髭を能率よくカットできる。
【００４０】
粗剃アーチ外刃１ａの先端を仕上剃アーチ外刃１ｂの先端から突出させる高低差は、たとえば２〜４ｍｍ、好ましくは約２．５ｍｍ、仕上剃アーチ外刃１ｂをスリット外刃から突出させる高低差は、たとえば、１．５〜３ｍｍ、好ましくは約２ｍｍに設定される。
【００４１】
粗剃アーチ外刃１ａと仕上剃アーチ外刃１ｂは、フロートストロークが異なり、鎖線で示す位置まで押し下げられる。このとき、出入バネ１６は弾性的に圧縮される。押し下げられた状態で、粗剃アーチ外刃１ａと仕上剃アーチ外刃１ｂとスリット外刃２の先端面は、図１２に示すように、同一平面に並ぶ。したがって、この電気かみそりの外刃は、粗剃アーチ外刃１ａのフロートストロークを仕上剃アーチ外刃１ｂのフロートストロークよりも大きくし、さらに、仕上剃アーチ外刃１ｂのフロートストロークを、左側のスリット外刃２Ａのフロートストロークよりも大きくしている。４連の外刃の先端が同一平面に並ぶ平面は、図１２において、右上がりの傾斜面となる。同一平面に並ぶ粗剃アーチ外刃１ａと仕上剃アーチ外刃１ｂとスリット外刃２は、４連全ての外刃で髭を能率よくカットできる。さらに、最も押し込まれた状態で、４連の外刃を傾斜面に並べる電気かみそりは、肌に直角にあてるのではなくて、多少傾斜する姿勢で接触されて、４連全ての外刃で、能率よく髭剃りできる特長がある。
【００４２】
４連の外刃は、図６と図１２に示すように、外刃ケース６に上下に移動できるように装着されている。したがって、粗剃アーチ外刃１ａと仕上剃アーチ外刃１ｂとスリット外刃２は、外刃ホルダー１Ｂ、２Ｂの両端面に上下スリット９を設けている。上下スリット９には、外刃ケース６に装着される中間台６ａの内面に突出しているガイド突起１０を案内している。
【００４３】
４連の外刃は、上下スリット９とガイド突起１０とを介して上下に移動できるように、中間台６ａを介して外刃ケース６に装着される。４連の外刃が、それぞれ独立して上下に移動されるとき、上下スリット９は、ガイド突起１０に沿って上下に移動する。
【００４４】
粗剃アーチ外刃１ａは、仕上剃アーチ外刃１ｂよりも突出しているので、図６に示すように、粗剃アーチ外刃１ａの上下スリット９を、仕上剃アーチ外刃１ｂの上下スリット９よりも上下に長く延長している。長い上下スリット９の粗剃アーチ外刃１ａは、出入バネ１６に弾性的に押されて、仕上剃アーチ外刃１ｂよりも高く突出する。さらに、図１１において、右側に配設されるスリット外刃２は、図６に示すように、左側のスリット外刃２よりも外刃ホルダー１Ｂの上下スリット９を上下に長く延長して、左側のスリット外刃２よりも高く突出している。
【００４５】
４連の外刃は、上下スリット９の下端を、ガイド突起１０に当接させる位置まで、出入バネ１６で弾性的に押し出される。いいかえると、上下スリット９とガイド突起１０の相対位置で、粗剃アーチ外刃１ａと上下スリット９とスリット外刃２の突出位置を調整できる。
【００４６】
４連の外刃を外刃ケース６に装着する中間台６ａは、外刃ケース６の内側に嵌着して固定される。中間台６ａは、図６に示すように、両端に位置する弾性プレート61ａと、この弾性プレート61ａを連結する３本の連結ロッド62ａとからなり、全体をプラスチックで一体成形している。弾性プレート61ａは、粗剃アーチ外刃１ａと仕上剃アーチ外刃１ｂとスリット外刃２を連結するガイド突起１０を内側に設けている。
【００４７】
弾性プレート61ａは、外側の形状を、外刃ケース６両端の内面に嵌着される形状に成形している。弾性プレート61ａの下端は、外刃ケース６の引掛凸部１３を案内して、中間台６ａが外刃ケース６から抜けないようにする貫通孔１４を開口している。さらに、弾性プレート61ａの上面には、出入バネ１６を挿入する連結ピン８を突出して設けている。
【００４８】
連結ロッド62ａは、薄い板状に成形され、４連の外刃の間に配設されて、弾性プレート61ａの上面の３カ所を連結している。弾性プレート61ａ中央の連結ロッド62ａは、両側の連結ロッド62ａよりも上方に突出して、その上面を櫛状に成形している。
【００４９】
外刃ケース６は、両端に位置する端部プレート61と、この端部プレート61の両端を連結している側面プレート62とからなる。端部プレート61と側面プレート62からなる外刃ケース６は、プラスチックで方形状に一体成形されている。外刃ケース６は、内側に中間台６ａを嵌着できる方形状である。側面プレート62は、上面に櫛４を設けている。櫛４の間隔は、スリット外刃２の平行スリット２ａの間隔よりも広く成形される。くせ髭をスムーズに間に案内するためである。さらに、図８に示す櫛４は、先端部を外側に湾曲して突出されている。この形状の櫛４は、傾斜させる姿勢で肌Ｈに接触するときに、突出部がくせ髭Ｋを効率よく整列して、スリット外刃２に誘い込みできる特長がある。
【００５０】
櫛４の位置は、スリット外刃２が出入バネ１６で押し出される状態、いいかえると、スリット外刃２が肌に押圧されない状態では、図１２の実線で示すように、スリット外刃２の上面よりも下方に位置する。スリット外刃２が肌に押圧されて、最も押し込まれた状態では、図の鎖線で示すように、櫛４は、上端をスリット外刃２の上面と同一平面とする。粗剃アーチ外刃１ａと仕上剃アーチ外刃１ｂは、押圧された状態ではスリット外刃２と同一平面となり、押圧されない状態ではスリット外刃２よりも突出している。このため、粗剃アーチ外刃１ａと仕上剃アーチ外刃１ｂとスリット外刃２は、櫛４よりも突出する位置で出入り自在に配設されており、粗剃アーチ外刃１ａと仕上剃アーチ外刃１ｂとスリット外刃２が最も押し下げられると、櫛４の先端と同一平面となる。
【００５１】
外刃ケース６は、図４に示すように、外刃枠７の上端開口部である開口窓７Ｃに脱着自在に装着される。外刃ケース６は、図４と図１３に示すように、端部プレート61の外側に設けている引掛片６Ａを、外刃枠７の内面に設けている凹部の引掛部７Ａに引っかけて、外刃枠７に脱着自在に装着される。引掛片６Ａは、外刃ケース６の両端面から突起して下から上に延長して設けられている。引掛片６Ａは内面に弾性金属板６Ｂを内蔵して弾性変形できるようになっている。引掛片６Ａは上端の幅を広くしてＴ字状としている。外刃枠７は、外刃ケース６を装着した状態で、図１３の断面図に示すように、引掛片６Ａを引っかける位置に引掛部７Ａを設けている。外刃ケース６を外刃枠７に装着すると、引掛片６Ａが引掛部７Ａに案内されて外刃枠７に装着される。
【００５２】
外刃ケース６を外刃枠７から外すために、外刃枠７の引掛部７Ａには、脱着ツマミ１５を配設している。脱着ツマミ１５は、弾性変形するプラスチックで全体の形状を板状に成形している。脱着ツマミ１５は、上部を弾性変形できるように、下端部を外刃枠７に固定している。脱着ツマミ１５の上部には、Ｔ字状に形成された引掛片６Ａの両端を押圧する押圧ロッド１５Ａを一体成形している。さらに、脱着ツマミ１５は、外刃枠７の外部に突出する押ボタン１５Ｂを一体成形している。押ボタン１５Ｂは、外刃枠７の貫通孔７Ｂに出入りできるよう挿入されている。外刃ケース６を外刃枠７から外すときに、押ボタン１５Ｂが押される。押ボタン１５Ｂが押されると、押圧ロッド１５Ａが引掛片６Ａを引掛部７Ａから押し出して、外刃ケース６と外刃枠７の引っかけ状態が解除されて、外刃枠７から引き出される。
【００５３】
図に示す電気かみそりは、外刃枠７を脱着自在に電気かみそりの本体に装着しているが、外刃枠は電気かみそり本体と一体構造とすることもできる。
【００５４】
粗剃アーチ外刃１ａと仕上剃アーチ外刃１ｂの内面を摺動するアーチ内刃３と、スリット外刃２の内面を摺動するスリット内刃５は、図１４に示すように、内刃台１１で往復運動される。内刃台１１は、２連のアーチ内刃３を、互いに反対方向に往復運動させる。アーチ内刃３の外側に配設される２連のスリット内刃５も反対方向に往復運動されるように、１連のアーチ内刃３と１連のスリット内刃５とを一体として、互いに反対方向に振動される二つの内刃台１１に連結している。
【００５５】
アーチ内刃３は、図４に示すように、複数枚のアーチ金属刃３Ａを平行に並べてプラスチック製の内刃ホルダー３Ｂにインサートして製造されている。アーチ金属刃３Ａは金属板で、アーチ状に湾曲される粗剃アーチ外刃１ａと仕上剃アーチ外刃１ｂの内面に接触するように上端を湾曲形状に成形している。
【００５６】
スリット内刃５は、図８に示すように、櫛形にスリットを設けたスリット金属刃５Ａを備える。スリット金属刃５Ａの上面は、スリット外刃板２Ａの内面を摺動して、スリット外刃板２Ａの平行スリット２ａに誘いこまれる髭をカットする。
【００５７】
アーチ内刃３は、アーチ金属刃３Ａをインサートしているプラスチック製の内刃ホルダー３Ｂに、図１５に示すように、一対の連結支柱３Ｃを一体成形している。連結支柱３Ｃは、上下台１１Ａを介して内刃台１１に連結される。上下台１１Ａは、出入りできるように内刃台１１に連結されている。連結支柱３Ｃは、上下台１１Ａに挿入されるので、外側の間隔を上下台１１Ａの内側間隔にほぼ等しく設計している。
【００５８】
さらに内刃ホルダー３Ｂは、内面に突出して係止部３Ｄを成形している。係止部３Ｄは、アーチ内刃３を上下台１１Ａに連結したときに、上下台１１Ａから簡単に外れるのを阻止する係止部材である。係止部３Ｄは、平行板の形状に成形される内刃ホルダー３Ｂの中央に位置して、その下端部に一体成形して設けられている。さらに、係止部３Ｄは、上下台１１Ａにスムーズに挿入して引っかけられるように、図１５に示すごとく、対向面をテーパー面とするフック状に成形されている。係止部３Ｄは、アーチ内刃３を上下台１１Ａに連結したときに、上下台１１Ａの係止窓１１ａに案内されて、アーチ内刃３が上下台１１Ａから外れるのを防止する。アーチ内刃３の連結支柱３Ｃを、上下台１１Ａに挿入して連結するとき、平行板の形状に成形された内刃ホルダー３Ｂが弾性変形してその間隔が多少広がって、係止部３Ｄが上下台１１Ａの係止窓１１ａに案内される。係止部３Ｄが係止窓１１ａに案内されると、内刃ホルダー３Ｂの間隔は狭くなって、係止部３Ｄが係止窓１１ａに引っかかる。
【００５９】
内刃ホルダー３Ｂは、上下台１１Ａの外側に、連結支柱３Ｃは上下台１１Ａの内側に挿入されるので、内刃ホルダー３Ｂと連結支柱３Ｃとの間には、上下台１１Ａを挿入できる隙間を設けている。
【００６０】
上下台１１Ａは、コイルスプリングである中央スプリング２１に押されて上下に移動できるように内刃台１１の連結筒１１Ｂに連結されている。したがって、上下台１１Ａは、図１６に示すように、中央スプリング２１を弾性的に押圧する状態で、内刃台１１に連結される。
【００６１】
上下台１１Ａは、上下に移動できるが抜けないように内刃台１１に連結される。上下台１１Ａは、中央スプリング２１を内蔵できる角筒状に成形され、図１４に示すように、内蔵する中央スプリング２１の上端に押圧される底板１１ｂを中間に設けている。底板１１ｂの下面には、中央スプリング２１の上端を挿入する凸部を成形している。
【００６２】
内刃台１１は、図１７に示すように、振動ホルダー２３を介してブレードホルダー２２に連結される。振動ホルダー２３は、両端に弾性変形できる弾性アーム２３Ａを有し、この弾性アーム２３Ａの先端をブレードホルダー２２に連結している。弾性アーム２３Ａは、水平方向に振動できるように振動ホルダー２３をブレードホルダー２２に連結する。
【００６３】
図１４と図１６に示す内刃台１１は、スリット内刃５を振動させるプラスチック製の駆動片１１Ｃを連結している。駆動片１１Ｃは、内刃台１１を弾性的に挟着する挟着アーム１１Ｄを有する。さらに、駆動片１１Ｃは、スリット内刃５の下端を挿入して連結する連結凹部１１Ｅとを有する。駆動片１１Ｃは、振動ホルダー２３をブレードホルダー２２に連結して、振動ホルダー２３とブレードホルダー２２との間にパッキンゴム１２を装着した後、内刃台１１に連結される。この構造の内刃台１１は、パッキンゴム１２を簡単に装着できる。それは、パッキンゴム１２を装着するときに、内刃台１１から駆動片１１Ｃが突出しないからである。
【００６４】
スリット内刃５は、駆動片１１Ｃを介して内刃台１１で振動される。スリット内刃５は、スリット外刃２に装着され、スリット外刃２を中間台６ａに装着して、スリット内刃５も中間台６ａに装着されている。スリット内刃５は、アーチ内刃３のように、内刃台１１に装着されない。スリット内刃５は、スリット外刃２を介して中間台６ａに装着され、スリット内刃５とスリット外刃２は、一体的に出入りできるよう装着される。
【００６５】
スリット内刃５とスリット外刃２の連結構造を示す分解斜視図を図１８に示す。この図のスリット内刃５は、スリット金属刃５Ａと、プラスチック製の内刃ホルダー５Ｂと、板バネである刃圧バネ２４とを備える。スリット金属刃５Ａと刃圧バネ２４は、内刃ホルダー５Ｂに積層して固定されている。内刃ホルダー５Ｂは、全体の形状をＴ字状に成形して、上部側面の定位置に、スリット金属刃５Ａと刃圧バネ２４を連結する複数の凸起５Ｄを設けている。スリット金属刃５Ａは、内刃ホルダー５Ｂの凸起５Ｄを挿入する位置に連結孔５Ｅを設けている。
【００６６】
刃圧バネ２４は、薄い弾性金属板をプレス成形したもので、内刃ホルダー５Ｂの凸起５Ｄを挿入する位置に連結孔２４Ａを設けて、両側にはハ字状に弾性片２４Ｂを突出させている。弾性片２４Ｂは、スリット外刃２の外刃ホルダー２Ｂの上面を押圧して、スリット金属刃５Ａをスリット外刃２の内面に弾性的に押圧する。
【００６７】
この図に示すスリット内刃５は、内刃ホルダー５Ｂの上部に、スリット金属刃５Ａと刃圧バネ２４の連結孔５Ｅ、２４Ａを、凸起５Ｄに挿入して簡単に、正確な位置に連結できる。この状態で、内刃ホルダー５Ｂの凸起５Ｄの先端を加熱して押し潰すと、スリット金属刃５Ａと刃圧バネ２４はより確実に内刃ホルダー５Ｂに連結される。スリット金属刃５Ａと刃圧バネ２４を連結したＴ字状の内刃ホルダー５Ｂは、下方に延長されるロッド部をスリット外刃２の外刃ホルダー２Ｂに挿入して、スリット外刃２に連結する。
【００６８】
内刃ホルダー５Ｂが、外刃ホルダー２Ｂに挿入された後、外刃ホルダー２Ｂに、コ字状に折曲されたスリット外刃板２Ａを連結して、スリット内刃５を、スリット外刃２の定位置に保持する。スリット金属刃５Ａと刃圧バネ２４とを連結している内刃ホルダー５Ｂは、全体の厚さを、スリット外刃板２Ａの内幅にほぼ等しくして、スリット外刃２の内部で傾かないように定位置に保持される。
【００６９】
アーチ内刃３とスリット内刃５とを振動させる二つの内刃台１１は、図５に示すように、本体ケース２５に内蔵される駆動機構によって互いに反対方向に往復運動される。駆動機構は、内刃台１１を連結して振動させる振動台１７と、この振動台１７を往復運動させるモーター１８と、モーター１８の回転を往復運動に変換して振動台１７を往復運動させる変換機構とを備える。
【００７０】
変換機構は、モーター１８の回転軸に固定されるカム軸１９と、このカム軸１９の偏心軸を振動台１７に連結するコンロッド２０とで構成される。カム軸１９の中心は、２本のコンロッド２０を反対方向に振動させるために、回転軸を中心として対称位置に配設されている。一方のコンロッド２０が右に移動するとき、他方のコンロッド２０は左に移動して、内刃台１１を逆方向に往復運動させる。
【００７１】
この構造の駆動機構は、モーター１８でカム軸１９を回転させ、カム軸１９の偏心軸の回転運動をコンロッド２０で往復運動に変換して振動台１７を往復運動させる。振動台１７の中央には、内刃台１１の連結ロッドを連結する孔が垂直に開口されている。振動台１７の孔に内刃台１１の連結ロッドを挿入して、内刃台１１は振動台１７に連結される。
【００７２】
振動台１７は、本体ケース２５の上端に設けた開口窓２５Ａから外部に表出されている。開口窓２５Ａは、髭屑等が本体ケース２５に侵入するのを阻止するために、図４と図５に示すように、パッキンゴム２６で閉塞している。パッキンゴム２６は、外周を開口窓２５Ａの内周に連結し、内周を振動台１７の外周に隙間なく連結している。パッキンゴム２６は、自由な変形できる柔軟なゴム状弾性体で、振動台１７を自由に振動できる状態で、振動台１７と開口窓２５Ａの間の隙間を閉塞している。パッキンゴム２６の外周を、開口窓２５Ａに確実に隙間なく連結するために、パッキンゴム２６の上面に固定枠２７を嵌入している。固定枠２７は、プラスチックで開口窓２５Ａの周縁に沿う方形状に成形されており、本体ケース２５の上面に設けられた段差部２５Ｂに嵌着して固定される。段差部２５Ｂは、固定枠２７を嵌着できる幅に成形されており、かつ、上端面から内側に係止凸起２８を突出させている。この構造は、パッキンゴム２６を簡単な構造で確実に開口窓２５Ａに固定できる特長がある。また、狭い領域にパッキンゴム２６を確実に固定できる特長もある。
【００７３】
【発明の効果】
本発明の請求項１の電気かみそりは、くせ髭を速やかにカットできることに加えて、肌の損傷を少なくして、能率よく深剃りできる特長がある。それは、本発明の電気かみそりが、粗剃孔に髭を誘い込んでカットする粗剃アーチ外刃と、仕上剃孔で髭をカットする仕上剃アーチ外刃の両方を、同じフロート圧で弾性的に押し出すのではなくて、粗剃アーチ外刃を仕上剃アーチ外刃よりも弱いフロート圧で弾性的に押し出す構造をしているからである。この構造の電気かみそりは、粗剃アーチ外刃と仕上剃アーチ外刃の両方を肌に接触させるとき、粗剃アーチ外刃はソフトに肌に接触し、仕上剃アーチ外刃は強く肌に接触する。粗剃アーチ外刃は、カールしたくせ髭を速やかに誘い込んでカットできる粗剃孔を網刃に開口している。この構造の網刃は、肌に強く押圧することなく、くせ髭をカットできる。粗剃アーチ外刃は、強く押圧するよりも、肌に沿って軽く移動して、速やかにくせ髭をカットできる。ただ、強く押圧されない粗剃アーチ外刃は、くせ髭を短く深剃りすることはできない。しかしながら、本発明の電気かみそりは、粗剃アーチ外刃でカットされたくせ髭を、仕上剃アーチ外刃で短く深剃りできる。仕上剃アーチ外刃は、粗剃アーチ外刃でカットされたくせ髭と、くせ髭でない通常の髭を一緒に仕上剃孔に誘い込んで、短く深剃りする。
【００７４】
粗剃アーチ外刃と仕上剃アーチ外刃の両方を肌に押圧して髭剃りする従来の電気かみそりは、かみそり全体の押圧力が、粗剃アーチ外刃と仕上剃アーチ外刃に二等分に分散される。これに対して、本発明の電気かみそりは、粗剃アーチ外刃と仕上剃アーチ外刃の両方を肌に押圧して髭剃りするとき、その押圧力の多くを仕上剃アーチ外刃に作用させることができる。粗剃アーチ外刃のフロート圧を弱くして、仕上剃アーチ外刃のフロート圧を強くしているからである。このため、本発明の電気かみそりは、粗剃アーチ外刃と仕上剃アーチ外刃の両方を肌に接触して能率よく髭剃りできるにもかかわらず、仕上剃アーチ外刃で髭を短く深剃りでき、粗剃アーチ外刃でくせ髭を速やかにカットできる特長がある。さらに、大きな粗剃孔の粗剃アーチ外刃が強く肌に押圧されることもないので、粗剃アーチ外刃が肌に損傷を与えて、髭剃り後にヒリヒリすることもなく、快適に能率よく髭剃りできる、正に理想的な特長を実現できる。
【００７５】
さらに、粗剃アーチ外刃１ａと仕上剃アーチ外刃１ｂからなるアーチ外刃１と平行にスリット外刃２を配設し、仕上剃アーチ外刃１ｂがスリット外刃２よりも突出する共に、粗剃アーチ外刃１ａが仕上剃アーチ外刃１ｂよりも突出するように装着している。この構造の外刃は、電気かみそりを多少傾斜する状態で肌に押しつけて、３列の外刃を一緒に肌に接触させて、効率よく髭剃りできる。
【００７６】
また、本発明の請求項２の電気かみそりは、粗剃アーチ外刃を仕上剃アーチ外刃よりも突出させてフロートストロークを大きくしている。この構造の電気かみそりは、突出してフロートストロークの大きい粗剃アーチ外刃を、凹凸のある肌の表面に優先して接触させながら髭剃りできる。粗剃アーチ外刃は、くせ髭を効率よくカットできるように設計されるので、粗剃アーチ外刃を優先的に肌に接触させて、くせ髭を速やかに効率よくカットできる。反対に、仕上剃アーチ外刃を突出させてフロートストロークを大きくした電気かみそりは、粗剃アーチ外刃に優先して仕上剃アーチ外刃が肌の凹凸に剃って移動するので、仕上剃アーチ外刃でもって、髭をより効率よく深剃りできる特長を実現する。さらに、この構造の電気かみそりは、仕上剃アーチ外刃を肌に沿わせて移動させるとき、フロートストロークの小さい粗剃アーチ外刃は、肌に接近し、あるいは、肌から離れて移動する。この状態で肌に沿って移動する粗剃アーチ外刃は、種々の形状をしているくせ髭を効率よくカットできることに効果がある。とくに、粗剃アーチ外刃は、髭を短くカットする必要はない。カールする等、種々の形状をしているくせ髭の先端をカットして、仕上剃アーチ外刃の仕上剃孔に誘い込みできる形状にカットすればよい。くせ髭は種々の形状をしているので、必ずしも粗剃アーチ外刃を肌に密着させる必要はない。粗剃アーチ外刃を肌に密着させ、あるいは、肌から離すなど、種々の状態で粗剃アーチ外刃を肌に沿って移動させて、くせ髭をカットできる。このため、仕上剃アーチ外刃を優先的に肌に沿わせて移動させるときに、粗剃アーチ外刃が肌に密着し、あるいは肌から離れて移動する電気かみそりは、粗剃アーチ外刃で種々の形状のくせ髭を効率よくカットできる特長がある。
【００７７】
さらに、粗剃アーチ外刃１ａと仕上剃アーチ外刃１ｂからなるアーチ外刃１と平行にスリット外刃２を配設し、仕上剃アーチ外刃１ｂがスリット外刃２よりも突出する共に、粗剃アーチ外刃１ａが仕上剃アーチ外刃１ｂよりも突出するように装着している。この構造の外刃は、電気かみそりを多少傾斜する状態で肌に押しつけて、３列の外刃を一緒に肌に接触させて、効率よく髭剃りできる。
【図面の簡単な説明】
【図１】従来の電気かみそりのアーチ外刃の網刃の平面図
【図２】変形したくせ髭の一例を示す断面図
【図３】くせ髭が湾曲して先端を肌に接触させる状態を示す断面図
【図４】本発明の実施例の電気かみそりの分解斜視図
【図５】図４に示す電気かみそりの分解斜視図
【図６】図４に示す電気かみそりのアーチ外刃とスリット外刃と中間台と外刃ケースを分解した状態を示す分解斜視図
【図７】図４に示す電気かみそりのアーチ外刃とスリット外刃と櫛の概略斜視図
【図８】櫛とスリット外刃が髭を平行スリットに誘い込みしてカットする状態を示す斜視図
【図９】図６に示すスリット外刃の分解斜視図
【図１０】図９に示す外刃ホルダーの底面図
【図１１】アーチ外刃とスリット外刃が中間台を介して外刃ケースに装着された状態を示す斜視図
【図１２】図１１に示すアーチ外刃とスリット外刃の横断面図
【図１３】外刃ケースを脱着自在に外刃枠に連結する部分の断面図
【図１４】アーチ内刃とスリット内刃を内刃台に連結する状態を示す一部断面側面図
【図１５】アーチ内刃を内刃台に連結する状態を示す斜視図
【図１６】内刃台をブレードホルダーに連結する状態を示す斜視図
【図１７】内刃台を振動ホルダーを介してブレードホルダーに連結する状態を示す分解斜視図
【図１８】スリット内刃の分解斜視図
【符号の説明】
１…アーチ外刃          １Ａ…網刃            １Ｂ…外刃ホルダー
１ａ…粗剃アーチ外刃  １ｂ…仕上剃アーチ外刃
２…スリット外刃        ２Ａ…スリット外刃板  ２Ｂ…外刃ホルダー
２ａ…平行スリット    ２ｂ…連結部
２ｃ…外側連結部      ２ｄ…内側連結部
２ｅ…外側連結面      ２ｆ…内側連結面
２ｇ…貫通孔          ２ｈ…引掛凸部
３…アーチ内刃          ３Ａ…アーチ金属刃    ３Ｂ…内刃ホルダー
３Ｃ…連結支柱        ３Ｄ…係止部
４…櫛
５…スリット内刃        ５Ａ…スリット金属刃  ５Ｂ…内刃ホルダー
５Ｄ…凸起            ５Ｅ…連結孔
６…外刃ケース          ６Ａ…引掛片          ６Ｂ…弾性金属板
61…端部プレート      62…側面プレート
６ａ…中間台
61ａ…弾性プレート    62ａ…連結ロッド
７…外刃枠              ７Ａ…引掛部          ７Ｂ…貫通孔
７Ｃ…開口窓
８…連結ピン
９…上下スリット
１０…ガイド突起
１１…内刃台            １１Ａ…上下台        １１Ｂ…連結筒
１１Ｃ…駆動片        １１Ｄ…挟着アーム
１１Ｅ…連結凹部
１１ａ…係止窓        １１ｂ…底板
１２…パッキンゴム
１３…引掛凸部
１４…貫通孔
１５…脱着ツマミ        １５Ａ…押圧ロッド    １５Ｂ…押ボタン
１６…出入バネ
１７…振動台
１８…モーター
１９…カム軸
２０…コンロッド
２１…中央スプリング
２２…ブレードホルダー
２３…振動ホルダー      ２３Ａ…弾性アーム
２４…刃圧バネ          ２４Ａ…連結孔        ２４Ｂ…弾性片
２５…本体ケース        ２５Ａ…開口窓        ２５Ｂ…段差部
２６…パッキンゴム
２７…固定枠
２８…係止凸起
２９…粗剃孔
３０…仕上剃孔
Ｋ…くせ髭                Ｈ…肌
【図１】
0003639409.tif 000002
【図２】
0003639409.tif 000003
【図３】
0003639409.tif 000004
【図４】
0003639409.tif 000005
【図５】
0003639409.tif 000006
【図６】
0003639409.tif 000007
【図７】
0003639409.tif 000008
【図８】
0003639409.tif 000009
【図９】
0003639409.tif 000010
【図１０】
0003639409.tif 000011
【図１１】
0003639409.tif 000012
【図１２】
0003639409.tif 000013
【図１３】
0003639409.tif 000014
【図１４】
0003639409.tif 000015
【図１５】
0003639409.tif 000016
【図１６】
0003639409.tif 000017
【図１７】
0003639409.tif 000018
【図１８】
0003639409.tif 000019